(57)【要約】【課題】  従来、ペット用開閉ドアーを網戸に取付けるには、どの位置に取付けるか予め網戸に目印などを付けて、その部分を切断した後、ペット用開閉ドアーを取付けていた。このため、取付けに非常に手間がかかっていた。また、ペット通過後の扉が閉鎖状態になるまで時間が必要であった。【解決手段】  網戸に取付けるためのペット用開閉ドアーにおいて、該ペット用開閉ドアーはドア枠と網押さえとスイングドアとを有し、該スイングドアの上部に扉軸を設け、該扉軸に付勢されるように該扉軸の端部近傍に付勢手段を設けたことで、ペット通過後に短時間でスイングドアを閉じることができる。【選択図】  図１  
2005220667.tif 000002
【特許請求の範囲】
【請求項１】
網戸に取付けるためのペット用開閉ドアーにおいて、
該開閉ドアーはドア枠と網押さえとスイングドアとを有し、
該スイングドアの上部に扉軸を設け、
該扉軸に付勢されるように該扉軸の端部近傍に付勢手段を設けたことを特徴とするペット用開閉ドアー。
【請求項２】
該付勢手段を複数有し、
該複数の付勢手段は互いに力を打ち消し合うように構成された請求項１に記載のペット用開閉ドアー。
【請求項３】
前記ドア枠と接する扉軸下部に扉軸平坦面を形成した請求項１又は２に記載のペット用開閉ドアー。
【請求項４】
前記ドア枠に前記扉軸を取付けるための取付穴を設け、前記扉軸と接する取付穴下部に取付穴平坦面を設けた請求項３に記載のペット用開閉ドアー。
【請求項５】
前記網押さえはＩ字状断面部有し、
前記ドア枠に前記網押さえと係合できるように略凸状断面部を形成した請求項１乃至４のいずれか一の項に記載のペット用開閉ドアー。
【請求項６】
前記網押さえは内側端面を有し、
前記ドア枠に該内側端面に沿ってカット溝を設けた請求項１乃至５のいずれか一の項に記載のペット用開閉ドアー。
【発明の詳細な説明】
【技術分野】
【０００１】
網戸に取付けるためのペット用開閉ドアーに関する。
【背景技術】
【０００２】
従来、ペット（犬、猫など）に屋内外の出入りを自由にさせる場合、ペットは自らドア等の開閉をすることができないので、ドア等を少し開けてペットが屋内外を自由に行き来できるようにしていた。しかし、ドア等を開けた状態でいると、冷暖房の効率が悪くなり、ペットがドア等を通過する際に、ドア等に当ってドア等が全開状態になることもしばしば生じていた。また、ドア等の代わりに網戸を開けておくと、網戸の効果がなくなるため、ペットが屋内外を出入りする度に飼い主が網戸の開閉をする必要があった。そこで、扉や網戸にペットが通過できるだけの開口を設けて、ペットが通過できるような考案は今までに幾つか提案されている。（例えば、特許文献１、２参照。）。
【特許文献１】特開２００２−２１８８５６号公報
【特許文献２】実用新案  第２５３８１３８号公報
【特許文献３】実用新案  第２５６４０５５号公報
【発明の開示】
【発明が解決しようとする課題】
【０００３】
しかしながら、網戸にペット用の開口を設ける場合、この開口の寸法を取付ける枠組みに合わせて予め測定した後、その網戸の網目部をカッターナイフなどで切断し、枠組みを取付けるといった手順で行うが、カッターナイフで開けた開口に枠組みを合わせることは非常に手間のかかる作業となっていた。そこで、本願発明は手間がかからず、網戸に容易にペット用開閉ドアーを取付けられるものを提供することを目的としている。
【課題を解決するための手段】
【０００４】
上記課題を解決するため、本願発明のペット用開閉ドアーは、網戸に取付けるためのペット用開閉ドアーにおいて、該ペット用開閉ドアーはドア枠と網押さえとスイングドアとを有し、該スイングドアの上部に扉軸を設け、該扉軸の両端部にスプリングバネを設け、該扉軸に付勢されるように該扉軸の端部近傍に付勢手段を設けたことで、ペットが扉を通過しても短時間に扉を閉めることができる。
【０００５】
また、該付勢手段を複数有し、該複数の付勢手段は互いに力を打ち消し合うように構成されたことで、扉が閉まる際の揺動を抑制することができる。
【０００６】
また、前記扉軸の前記ドア枠と接するところに平坦な面からなる扉軸下面を設けたことで、扉が閉まる際の揺動をさらに抑制することができる。
【０００７】
また、前記ドア枠に前記扉軸を取付けるための取付穴を設け、該取付穴の前記扉軸と接するところに平坦な面からなる取付穴下面を設けたことで、扉が閉まる際の揺動をさらに抑制することができる。
【０００８】
また、前記網押さえはＩ字状断面部有し、前記ドア枠に前記網押さえと係合できるように略凸状断面部を形成したことで、網戸ネットを挟み込むことができる。
【０００９】
また、前記網押さえは内側端面を有し、前記ドア枠に該内側端面網に沿ってカット溝を設けたことで、所望の場所のみ正確に網戸を切断することができる。
【発明の効果】
【００１０】
スイングドアが揺動しても、短時間で閉鎖状態にすることができると共に、容易にペット用開閉ドアーを網戸に取付けることができる。
【発明を実施するための最良の形態】
【００１１】
本願発明の一実施形態を、図面を参照しつつ説明する。
【００１２】
図１は、本願発明の一実施形態にかかるペット用開閉ドアーを網戸に取付けたときの斜視図である。図２は、本願発明の実施例にかかるペット用開閉ドアーの構成図であり、（ａ）はドア枠４の正面図、（ｂ）は網押さえ３の正面図である。図３は、図１（ｂ）の一部断面図であり、（ａ）はＬ−Ｌ矢視図、（ｂ）はＭ−Ｍ矢視図である。
【００１３】
図１に示すように、網戸１は網戸ネット６と網戸枠７とを有しており、この網戸１の下端のコーナー部８にペット用開閉ドアー２を設けられるように構成されている。このペット用開閉ドアー２は網押さえ３、ドア枠４を有しており、網押さえ３とドア枠４とが網戸ネット６を押さえると共に、ドア枠４の下面及び側面が網戸枠７に接することで、ペット用開閉ドアー２を確実に網戸１の下端のコーナー部８に設置することができる。また、ドア枠４には後述するスイングドア５が設けられており、ペットがこのスイングドア５を介して屋内と屋外の間を行き来することができる。
【００１４】
図２（ａ）に示すように、ドア枠４は矩形状をしており、ドア枠４の上部に扉軸１０が設けられ、扉軸１０にスイングドア５が取付けられることにより、扉軸１０を軸に揺動できるようになっている。また、ドア枠４は各コーナーで接離可能に構成され、４分割できるようになっており、分割されたドア枠４の各部材を取替えることで、ドア枠４の大きさを変えることができるようになっている。そして、ドア枠４の各部材の長手方向には溝部１１（図３参照）が形成されており、網押さえ３をドア枠４にネジ２３で安定して固定させることができる。また、スイングドア５の下部には傷防止カバー１３が設けられており、ペットがスイングドア５を行き来する際にスイングドア５の下端部で傷付かないようになっている。また、この溝部１１のどこにでもネジ２３（図３参照）が取付けられるように構成されている。
【００１５】
図２（ｂ）に示すように、網押さえ３もドア枠４と同様な矩形状をしており、各コーナーで接離可能に構成され、４分割できるようになっており、分割されたドア枠４の各部材を取替えることで、ドア枠４の大きさを変えることができるようになっている。そして、網押さえ３はＩ字状断面（図３参照）になっており、ドア枠４と網押さえ３とで網戸ネット６を押さえ易くなるように構成されている。また、ネジ用孔１２が網押さえ３に設けられており、ドア枠４の溝部１１と対向するところにこのネジ用孔１２が形成されている。このような構成により、網押さえ３の各部材の大きさが変わっても、溝部１１にネジ用孔１２を合わせることができる。
【００１６】
図３に示すように、ペット用開閉ドアー２は、ドア枠４と網押さえ３で網戸ネット６を挟み込んで、ドア枠４の外面（下面）を網戸枠７の内面に接するように（図１参照）取付られている。また、図３（ｃ）に示すように、この網押さえ３は全周にわたってＩ字状断面部２４を有し、これに係合するようにドア枠４の全周にわたって略凸状断面部２５を有しており、網戸ネット６にペット用開閉ドアー２を安定して（滑ることなく）取付ることができる。また、このＩ字状断面部２４と略凸状断面部２５との部分で網戸ネット６を挟み込むため、網押さえ３の内側にある網戸ネット６が外側に引っ張られる状態になり、網戸ネットを切断した際に、網戸ネット６が網押さえ３の中に引き込まれて、見栄えがよくなるようになっている。また、網押さえ３がドア枠４に取付けられた状態では、ドア枠４の全周にわたって網カット溝１４が網押さえ３に沿ってドア枠４と接する面に設けられている。この網カット溝１４を有することで、網戸ネット６をカッターナイフなどで切断するときに、カッターナイフ等が他の部分を切断することなく、網カット溝１４の上にある網戸ネット６のみを切断することができる。
【００１７】
また、扉軸１０は略円柱状で形成されており、その長手方向には、スイングドア５を取付けるための扉取付溝１５が全長にわたって形成されている。このスイングドア５は扉軸１０の長手方向の略中央に設けられている。また、この扉軸１０をドア枠４に取付けるための取付穴２１の幅（屋内外方向）は、扉軸１０の直径よりやや大きく形成されている。そして、扉軸１０の一端にスプリングバネ１７が設けられており、他端にスプリングバネ１８が設けられている。また、スイングドア５が揺動した際に短時間で停止させるために、前記両端の付勢手段であるスプリングバネ１７、１８の扉軸１０に対する付勢方向が逆になるように構成されている。このような構成により、スイングドア５がペットの通過にともなって揺動した場合に、スイングドア５が再び開こうとする力を抑制することができると共に、短時間にスイングドア５を閉鎖位置に停止させることができる。
【００１８】
図４は、扉軸１０の端部近傍を示した斜視図である。
【００１９】
図４に示すように、スプリングバネ１７はドア枠４の内部に取付けられており、扉軸１０の端部に取付けられたスプリングバネ１７は、スプリングバネ１７の一端を扉取付溝１５に挿入し、扉軸１０の内側から外側に向って複数回巻かれ、スプリングバネ１７の他端をドア枠４の下方に垂れるように取付けられている。このとき、スプリングバネ１７は付勢されているために、垂れ下がっている方の端をドア枠４の内壁に接触させるように構成されている。また、扉軸１０の他方の端部のスプリングバネ１８図示せずは、スプリングバネ１７と付勢が逆になるように取付けられている。
【００２０】
そして、このスプリングバネ１７とスイングドア５との間には、ドア枠４に扉軸１０を取付けるための、取付穴２１が略長方形状に設けられている。また、取付穴２１の下端部には取付穴平坦面２０が形成されている。そして、扉軸１０のドア枠４と接するところに、扉軸平坦面１９が形成されている。これにより、閉鎖位置でのスイングドア５は、取付穴平坦面２０と扉軸平坦面１９との平坦面同士が接することができるようになっている。よって、扉軸１０が回転する際に回転による摩擦力が増加するため、わずかな外力（風など）に対してスイングドア５が開くことはなくなる。一方、ペットが通過したときには、この取付穴平坦面２０と扉軸平坦面１９との接触関係、及びスプリングバネ１７、１８の弾性力（付勢力）により短時間でスイングドア５を閉鎖状態に移行させることができる。
【００２１】
図５は、ペット通過時のスイングドア５の動作を示した図であり、（ａ）は紙面右から左にペットが通過したときの図、（ｂ）はスイングドア５の閉鎖状態の図、（ｃ）は紙面左から右にペットが通過したときの図である。
【００２２】
図５（ａ）に示すように、ペットが紙面右から左に通過した場合は、スプリングバネ１８による弾性力（付勢力）Ａが取付穴平坦面２０から受ける摩擦力Ｃより大きく（Ａ＞Ｃ）なるので、スイングドア５はスイングドア５の閉鎖位置である図５（ｂ）に紙面左から右へと戻ろうとする。このとき、スイングドア５は弾性力Ａ及び自重により閉鎖位置に戻ろうとするが、スイングドア５を停止させるためのストッパーがないため、閉鎖位置である図５（ｂ）を通過することになる。同様に、図５（ｃ）に示すように、ペットが紙面左から右に通過した場合は、スプリングバネ１７による弾性力（付勢力）Ｂが取付穴平坦面２０から受ける摩擦力Ｃより大きく（Ｂ＞Ｃ）なるので、スイングドア５はスイングドア５の閉鎖位置である図５（ｂ）に紙面右から左へと戻ろうとする。このとき、スイングドア５は弾性力Ｂ及び自重により閉鎖位置に戻ろうとするが、スイングドア５を停止させるためのストッパーがないため、閉鎖位置である図５（ｂ）を通過することになる。つまり、スイングドア５は閉鎖位置を中心に揺動することになる。
【００２３】
このように、スプリングバネ１８による弾性力Ａ、及びスプリングバネ１７による弾性力Ｂだけでも最終的には閉鎖位置である図５（ｂ）の状態になる。ここで、前記取付穴平坦面２０と前記扉軸平坦面１９とを設けることで、スイングドア５の揺動の回数をさらに減らすことができる。つまり、図５（ａ）から図５（ｂ）を経由して図５（ｃ）に近い状態になる場合は、扉軸平坦面１９の端部２２ａが、取付穴平坦面２０を通過する際に摩擦力を発生し、揺動を停止させる方向に働く。同様に、図５（ｃ）から図５（ｂ）を経由して図５（ａ）に近い状態になる場合は、扉軸平坦面１９の端部２２ｂが、取付穴平坦面２０を通過する際に摩擦力を発生し、揺動を停止させる方向に働く。これにより、取付穴平坦面２０と扉軸平坦面１９とが無い場合に比べて揺動回数は減少することになる。
【００２４】
上記実施形態で示されている構成以外にも、複数のスプリングバネ１７、１８を扉軸１０の片方の端部に寄せてもよい。また、扉軸１０の取付位置をドア枠４の側部または下部等の任意の位置にして、スイングドア５の揺動方向を変えても、本願発明の作用効果に影響を及ぼすものではない。
【産業上の利用可能性】
【００２５】
網戸に取付けるペット用開閉ドアーに利用することができる。
【図面の簡単な説明】
【００２６】
【図１】本願発明の一実施形態にかかるペット用開閉ドアーを網戸に取付けたときの斜視図である。
【図２】本願発明の一実施形態にかかるペット用開閉ドアーの構成図であり、（ａ）はドア枠４の正面図、（ｂ）は網押さえ３の正面図である。
【図３】本願発明の一実施形態にかかるにかかる図１（ｂ）の一部断面図であり、（ａ）はＬ−Ｌ矢視図、（ｂ）はＭ−Ｍ矢視図、（ｃ）はドア枠の拡大図である。
【図４】本願発明の一実施形態にかかる扉軸１０の端部近傍を示した斜視図である。
【図５】本願発明の一実施形態にかかるスイングドア５のペット通過時のスイングドア５の動作を示した図であり、（ａ）は紙面右から左にペットが通過したときの図、（ｂ）はペットが通過しないときの図、（ｃ）は紙面左から右にペットが通過したときの図である。
【符号の説明】
【００２７】
１  網戸
２  ペット用開閉ドアー
３  網押さえ
４  ドア枠
５  スイングドア
６  網戸ネット
７  網戸枠
１０  扉軸
１４  網カット溝
１５  扉取付溝
１７、１８  スプリングバネ
１９  扉軸平坦面
２０  取付穴平坦面
２１  取付穴
２２ａ、２２ｂ  端部
【図１】
2005220667.tif 000003
【図２】
2005220667.tif 000004
【図３】
2005220667.tif 000005
【図４】
2005220667.tif 000006
【図５】
2005220667.tif 000007